【事件の表示】
　特願２０１２−　１８４９９「ナビゲーション装置、経路生成方法、およびプログラム」拒絶査定不服審判事件〔平成２５年　８月１５日出願公開、特開２０１３−１５６２１３〕について、次のとおり審決する。
【結　論】
　本件審判の請求は、成り立たない。
【理　由】
第１　手続の経緯
　本件出願は、平成２４年１月３１日の出願であって、平成２７年５月１８日付けで拒絶理由が通知され、平成２７年７月６日に意見書及び手続補正書が提出されたが、平成２７年１２月２２日付けで拒絶査定がされ、平成２８年３月１５日に拒絶査定不服審判が請求されると同時に特許請求の範囲について補正する手続補正書が提出されたものである。
第２　平成２８年３月１５日付けの手続補正（以下、「本件補正」という。）についての補正の却下の決定
［補正の却下の決定の結論］
　平成２８年３月１５日付けの手続補正を却下する。
［理由］
１　本件補正の内容
　本件補正は、特許請求の範囲に関しては、本件補正により補正される前の（すなわち、平成２７年７月６日に提出された手続補正書により補正された下記（１）に示す請求項１ないし１１の記載を、下記（２）に示す請求項１ないし９の記載へと補正するものである。
（１）本件補正前の特許請求の範囲の請求項１ないし１１
　「【請求項１】
サーバ装置と、ナビゲーション装置とを具備する情報システムにおけるナビゲーション装置であって、
前記サーバ装置は、
ユーザが投稿した情報であり、当該ユーザが投稿した地点の緯経度情報が対応付いている情報である１以上の投稿情報が格納される格納部と、
前記ナビゲーション装置から、地図上の地点を示す１以上の地点情報を受信する受信部と、
前記受信部が受信した１以上の各地点情報に対応する１以上の投稿情報を、前記格納部から取得する取得部と、
前記取得部が取得した１以上の投稿情報を、前記ナビゲーション装置に送信する送信部とを具備し、
前記ナビゲーション装置は、
地図を示す情報であり、地図上の地点を示す１以上の地点情報を有する地図情報が格納される地図情報格納部と、
前記地図情報格納部に格納されている地図情報が有する１以上の地点情報を取得する地点情報取得部と、
前記地点情報取得部が取得した１以上の地点情報を、前記サーバ装置に送信する地点情報送信部と、
前記サーバ装置から、１以上の投稿情報を受信する投稿情報受信部と、
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部とを具備する情報システムにおけるナビゲーション装置。
　　【請求項２】
前記ナビゲーション装置は、
前記投稿情報受信部が受信した１以上の各投稿情報に対応付いている地点情報が示す地点から、１以上の地点を選択する指示である投稿地点選択指示をも受け付ける受付部をさらに具備し、
前記経路情報生成部は、
前記受付部が受け付けた投稿地点選択指示に対応する１以上の各投稿情報に対応付いている緯経度情報に対応する地点を含む経路を示す経路情報を生成する請求項１記載のナビゲーション装置。
　　【請求項３】
前記出力部は、
前記投稿情報受信部が受信した１以上の投稿情報を出力し、
前記受付部は、
前記出力部が出力した１以上の投稿情報から、１以上の投稿情報の選択である投稿地点選択指示を受け付ける請求項２記載のナビゲーション装置。
　　【請求項４】
前記ナビゲーション装置は、
ユーザの嗜好を示す情報である１以上の嗜好情報が格納される嗜好情報格納部と、
前記投稿情報受信部が受信した１以上の投稿情報から、前記嗜好情報格納部に格納されている嗜好情報に対応する１以上の投稿情報を取得する嗜好投稿情報取得部とをさらに具備し、
前記経路情報生成部は、
前記嗜好投稿情報取得部が取得した１以上の各投稿情報に対応付いている緯経度情報に対応する地点を含む経路を示す経路情報を生成する請求項１から請求項３いずれか記載のナビゲーション装置。
　　【請求項５】
前記地点情報は、地図上の地点の名称を示す名称情報を有し、
前記取得部は、
前記受信部が受信した各地点情報が有する名称情報を含む１以上の投稿情報を、前記格納部から取得し、
前記経路情報生成部は、
前記投稿情報受信部が受信した１以上の投稿情報に対応付いている名称情報が示す名称に対応する地点を含む経路を示す経路情報を生成する請求項１から請求項４いずれか記載のナビゲーション装置。
　　【請求項６】
前記出力部は、
前記投稿情報受信部が受信した投稿情報または前記嗜好投稿情報取得部が取得した投稿情報を、当該投稿情報に対応付いている地点情報を用いて、前記経路情報生成部が生成した経路情報に対応付けて出力する請求項４記載のナビゲーション装置。
　　【請求項７】
地図を示す情報であり、地図上の地点を示す１以上の地点情報を有する地図情報が格納される地図情報格納部と、
前記地図情報格納部に格納されている地図情報が有する１以上の地点情報を取得する地点情報取得部と、
前記地点情報取得部が取得した１以上の地点情報を、サーバ装置に送信する地点情報送信部と、
前記サーバ装置から、緯経度情報に対応付いている１以上の投稿情報を受信する投稿情報受信部と、
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部とを具備するナビゲーション装置。
　　【請求項８】
前記投稿情報受信部が受信した１以上の各投稿情報に対応付いている地点情報が示す地点から、１以上の地点を選択する指示である投稿地点選択指示をも受け付ける受付部をさらに具備し、
前記経路情報生成部は、
前記受付部が受け付けた投稿地点選択指示に対応する１以上の各投稿情報に対応付いている緯経度情報に対応する地点を含む経路を示す経路情報を生成する請求項７記載のナビゲーション装置。
　　【請求項９】
前記出力部は、
前記投稿情報受信部が受信した１以上の投稿情報を出力し、
前記受付部は、
前記出力部が出力した１以上の投稿情報から、１以上の投稿情報の選択である投稿地点選択指示を受け付ける請求項８記載のナビゲーション装置。
　　【請求項１０】
記録媒体に、
地図を示す情報であり、地図上の地点を示す１以上の地点情報を有する地図情報が格納されており、
地点情報取得部と、地点情報送信部と、投稿情報受信部と、経路情報生成部と、出力部とを用いて行われる経路生成方法であって、
前記地点情報取得部が、前記記録媒体に格納されている地図情報が有する１以上の地点情報を取得する地点情報取得ステップと、
前記地点情報送信部が、前記地点情報取得部が取得した１以上の地点情報を、外部の装置に送信する地点情報送信ステップと、
前記投稿情報受信部が、前記外部の装置から、緯経度情報に対応付いている１以上の投稿情報を受信する投稿情報受信ステップと、
前記経路情報生成部が、前記投稿情報受信ステップで受信された１以上の各投稿情報に対応付いている緯経度情報に対応する地点を含む経路を示す経路情報を生成する経路情報生成ステップと、
前記出力部が、前記経路情報生成部が生成した経路情報を出力する出力ステップとを具備する経路生成方法。
　　【請求項１１】
記録媒体に、
地図を示す情報であり、地図上の地点を示す１以上の地点情報を有する地図情報が格納されており、
コンピュータを、
前記記録媒体に格納されている地図情報が有する１以上の地点情報を取得する地点情報取得部と、
前記地点情報取得部が取得した１以上の地点情報を、外部の装置に送信する地点情報送信部と、
前記外部の装置から、緯経度情報に対応付いている１以上の投稿情報を受信する投稿情報受信部と、
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部として機能させるためのプログラム。」
（２）本件補正後の特許請求の範囲の請求項１ないし９
　「【請求項１】
サーバ装置と、ナビゲーション装置とを具備する情報システムにおけるナビゲーション装置であって、
前記サーバ装置は、
ユーザが投稿した情報であり、当該ユーザが投稿した地点の緯経度情報が対応付いている情報である１以上の投稿情報が格納される格納部と、
前記ナビゲーション装置から、地図上の地点を示す１以上の地点情報を受信する受信部と、
前記受信部が受信した１以上の各地点情報に対応する１以上の投稿情報を
各投稿情報に対応付いている緯経度情報と共に
前記取得部が取得した１以上の投稿情報を
各投稿情報に対応付いている緯経度情報と共に
前記ナビゲーション装置は、
地図を示す情報であり、地図上の地点を示す１以上の地点情報を有する地図情報が格納される地図情報格納部と、
前記地図情報格納部に格納されている地図情報が有する１以上の地点情報を取得する地点情報取得部と、
前記地点情報取得部が取得した１以上の地点情報を、前記サーバ装置に送信する地点情報送信部と、
前記サーバ装置から、１以上の投稿情報
と各投稿情報に対応付いている投稿地点の緯経度情報と
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部とを具備
し、
前記投稿情報受信部が受信した１以上の各投稿情報に対応付いている緯経度情報が示す地点から、１以上の地点を選択する指示である投稿地点選択指示を受け付ける受付部をさらに具備し、
前記経路情報生成部は、
前記受付部が受け付けた投稿地点選択指示に対応する１以上の各投稿情報に対応付いている緯経度情報に対応する地点を含む経路を示す経路情報を生成
　　【請求項２】
前記出力部は、
前記投稿情報受信部が受信した１以上の投稿情報を出力し、
前記受付部は、
前記出力部が出力した１以上の投稿情報から、１以上の投稿情報の選択である投稿地点選択指示を受け付ける請求項
１
　　【請求項３】
前記ナビゲーション装置は、
ユーザの嗜好を示す情報である１以上の嗜好情報が格納される嗜好情報格納部と、
前記投稿情報受信部が受信した１以上の投稿情報から、前記嗜好情報格納部に格納されている嗜好情報に対応する１以上の投稿情報を取得する嗜好投稿情報取得部とをさらに具備し、
前記経路情報生成部は、
前記嗜好投稿情報取得部が取得した１以上の各投稿情報に対応付いている緯経度情報に対応する地点を含む経路を示す経路情報を生成する請求項１
または請求項２
　　【請求項４】
前記地点情報は、地図上の地点の名称を示す名称情報を有し、
前記取得部は、
前記受信部が受信した各地点情報が有する名称情報を含む１以上の投稿情報を、前記格納部から取得し、
前記経路情報生成部は、
前記投稿情報受信部が受信した１以上の投稿情報に対応付いている名称情報が示す名称に対応する地点を含む経路を示す経路情報を生成する請求項１から請求項
３
　　【請求項５】
前記出力部は、
前記投稿情報受信部が受信した投稿情報または前記嗜好投稿情報取得部が取得した投稿情報を、当該投稿情報に対応付いている緯経度情報を用いて、前記経路情報生成部が生成した経路情報に対応付けて出力する請求項
３
　　【請求項６】
地図を示す情報であり、地図上の地点を示す１以上の地点情報を有する地図情報が格納される地図情報格納部と、
前記地図情報格納部に格納されている地図情報が有する１以上の地点情報を取得する地点情報取得部と、
前記地点情報取得部が取得した１以上の地点情報を、サーバ装置に送信する地点情報送信部と、
前記サーバ装置から、緯経度情報に対応付いている１以上の投稿情報
と各投稿情報に対応付いている投稿地点の緯経度情報と
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部とを具備
し、
前記投稿情報受信部が受信した１以上の各投稿情報に対応付いている緯経度情報が示す地点から、１以上の地点を選択する指示である投稿地点選択指示を受け付ける受付部をさらに具備し、
前記経路情報生成部は、
前記受付部が受け付けた投稿地点選択指示に対応する１以上の各投稿情報に対応付いている緯経度情報に対応する地点を含む経路を示す経路情報を生成
　　【請求項７】
前記出力部は、
前記投稿情報受信部が受信した１以上の投稿情報を出力し、
前記受付部は、
前記出力部が出力した１以上の投稿情報から、１以上の投稿情報の選択である投稿地点選択指示を受け付ける請求項
６
　　【請求項８】
記録媒体に、
地図を示す情報であり、地図上の地点を示す１以上の地点情報を有する地図情報が格納されており、
地点情報取得部と、地点情報送信部と、投稿情報受信部と、経路情報生成部と、出力部と
、受付部と
前記地点情報取得部が、前記記録媒体に格納されている地図情報が有する１以上の地点情報を取得する地点情報取得ステップと、
前記地点情報送信部が、前記地点情報取得部が取得した１以上の地点情報を、外部の装置に送信する地点情報送信ステップと、
前記投稿情報受信部が、前記外部の装置から、緯経度情報に対応付いている１以上の投稿情報と
各投稿情報に対応付いている投稿地点の緯経度情報と
前記経路情報生成部が、前記投稿情報受信ステップで受信された１以上の各投稿情報に対応付いている緯経度情報に対応する地点を含む経路を示す経路情報を生成する経路情報生成ステップと、
前記出力部が、前記経路情報生成部が生成した経路情報を出力する出力ステップとを具備
し、
前記受付部が、前記投稿情報受信ステップで受信された１以上の各投稿情報に対応付いている緯経度情報が示す地点から、１以上の地点を選択する指示である投稿地点選択指示を受け付ける受付ステップをさらに具備し、
前記経路情報生成ステップにおいて、
前記受付ステップで受け付けられた投稿地点選択指示に対応する１以上の各投稿情報に対応付いている緯経度情報に対応する地点を含む経路を示す経路情報を生成
　　【請求項９】
記録媒体に、
地図を示す情報であり、地図上の地点を示す１以上の地点情報を有する地図情報が格納されており、
コンピュータを、
前記記録媒体に格納されている地図情報が有する１以上の地点情報を取得する地点情報取得部と、
前記地点情報取得部が取得した１以上の地点情報を、外部の装置に送信する地点情報送信部と、
前記外部の装置から、緯経度情報に対応付いている１以上の投稿情報
と各投稿情報に対応付いている投稿地点の緯経度情報と
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部として機能させるためのプログラム
であって、
コンピュータを、
前記投稿情報受信部が受信した１以上の各投稿情報に対応付いている緯経度情報が示す地点から、１以上の地点を選択する指示である投稿地点選択指示を受け付ける受付部としてさらに機能させ、
前記経路情報生成部は、
前記受付部が受け付けた投稿地点選択指示に対応する１以上の各投稿情報に対応付いている緯経度情報に対応する地点を含む経路を示す経路情報を生成するものとして、コンピュータを機能させるためのプログラム。
２　本件補正の目的
　本件補正は、特許請求の範囲の請求項６に関しては、本件補正前の請求項８に係る発明の「前記サーバ装置から、緯経度情報に対応付いている１以上の投稿情報を受信する投稿情報受信部」を「前記サーバ装置から、１以上の投稿情報
と各投稿情報に対応付いている投稿地点の緯経度情報と
と各投稿情報に対応付いている投稿地点の緯経度情報
緯経度
緯経度
　よって、特許請求の範囲の請求項６についての本件補正は、本件補正前の特許請求の範囲の請求項８に係る発明の発明特定事項を限定したものであって、本件補正前の請求項８に記載された発明と、本件補正後の請求項６に記載される発明の産業上の利用分野及び解決しようとする課題が同一であるから、本件補正は、特許法第１７条の２第５項第２号に掲げる特許請求の範囲の限定的減縮を目的とするものに該当する。
　そこで、本件補正によって補正された特許請求の範囲の請求項６に係る発明（以下、「本件補正発明」という。）が、特許出願の際独立して特許をうけることができるものであるか（特許法第１７条の２第６項において準用する同法１２６条第７項の規定に適合するか）について以下に検討する。
３　独立特許要件の判断
（１）本件補正発明
　本件補正発明は、平成２８年３月１５日に提出された手続補正書により補正された特許請求の範囲並びに願書に最初に添付された明細書及び図面の記載からみて、その特許請求の範囲の請求項６に記載される事項により特定されるものであるところ、上記１の（２）に示したとおりのものである。
（２）引用文献
ア　引用文献１
（ア）　引用文献１の記載
　本件出願前に頒布され、原査定の拒絶の理由に引用された特開２０１１−２４７８３１号公報（以下、「引用文献１」という。）には、図面とともに、次のような記載がある。
ａ　「【０００３】
　近年の車載装置では、位置情報とブログとを対応付けたアイコンや音声メッセージなどを地図上に表示することも実施されている。例えば、ユーザは、車載装置のタッチパネルを操作して位置情報とともにブログ記事を投稿したり、携帯電話を用いて位置情報付き音声メッセージやブログ記事を投稿したりする。そして、これらの投稿を受信した車載装置は、受信した位置情報によって特定される地図上の位置に、受信されたブログ記事などの投稿情報をアイコンで表示する。
【０００４】
　また、車載装置は、ユーザによってアイコンが選択されると、投稿されたブログ記事のサイトを表示したり、選択されたアイコンに付随する音声メッセージを出力したりする。また、車載装置は、同一位置に複数の投稿があった場合には、アイコンの形状や色等を変化させて同時に複数の投稿を表示し、いずれかのアイコンが選択されると、選択された位置近辺の投稿一覧を表示してそれぞれの投稿を選択できるようにする。また、車載装置は、特定の項目のみを表示するような表示制限を実施することもできる。
【０００５】
　最近では、スマートフォン、携帯電話、パーソナルコンピュータなどの情報通信機器を用いて、リアルタイムに情報共有ができるツイッター（登録商標）などのオープンツール（サービス）が普及している。例えば、ユーザは、ツイッターを起動して「ツイート」といわれる所定文字数内の短文を投稿し、その投稿に対する他人の返事を参照したりして、他人とコミュニケーションを図る。また、ツイッター（登録商標）には、位置情報に関するＡＰＩ（Application  Program  Interface）も公開されており、地域単位や位置に関連性のある情報を発信することもできる。」（段落【０００３】ないし【０００５】）
ｂ　「【００１５】
［全体構成］
　図１は、実施例１にかかる車載用表示装置を含むシステムの全体構成を示す図である。図１に示すように、このシステムは、ツイッターサーバ１と音声合成サーバ２と地図サーバ３と音声認識サーバ４と、自動車等の車内１０に設置される車載用表示装置１１とを有する。なお、本実施例では、投稿情報としてツイッター（登録商標）を用いた例で説明するが、これに限定されるものではなく、例えばブログ、簡易メール、ＳＮＳ（Social  Network  Service）などの投稿サービスを用いることもできる。
【００１６】
　ツイッターサーバ１は、ユーザＩＤによって識別される個々のユーザが携帯電話などを用いて投稿したツイートなどの投稿情報を記憶する投稿情報サーバである。また、ツイッターサーバ１は、投稿された情報に音声データが付加されている場合には、付加されている音声データを音声合成サーバ２に格納する。また、ツイッターサーバ１は、投稿された情報に地図データが付加されている場合には、付加されている地図データを地図サーバ３に格納する。
【００１７】
　そして、ツイッターサーバ１は、ユーザが投稿情報の取得要求を受信した場合に、記憶する投稿情報をユーザの携帯電話に送信する。例えば、ツイッターサーバ１は、前回の取得要求から今回の取得要求の間に蓄積された投稿情報を送信する。・・・（中略）・・・また、ツイッターサーバ１は、前回の取得要求から今回の取得要求の間に蓄積された投稿情報のうち、現在のユーザ位置から所定範囲内の位置までの間で投稿された投稿情報のみを送信するようにしてもよい。」（段落【００１５】ないし【００１７】）
ｃ　「【００２２】
　車載用表示装置１１は、車内１０に設置される装置であり、通信装置２０と車載機５０とを有する。なお、車載用表示装置１１は、通信装置２０と車載機５０とが別々の筐体で実現されている例を図示しているが、これに限定されるものではなく、例えば通信装置２０と車載機５０とが１つの筐体で実現されていてもよい。
【００２３】
　通信装置２０は、Ｗｅｂやインターネットに接続可能な携帯電話、パーソナルコンピュータ、スマートフォンなどの通信装置であり、無線通信やＵＳＢ（Universal  Serial  Bus）などを用いて車載機５０と接続される。この通信装置２０は、投稿情報、音声データ、地図データなどの各種データを車載機５０に出力し、車載機５０のタッチパネル等でユーザが操作した内容にしたがって各種処理を実行する。
【００２４】
　車載機５０は、タッチパネルやディスプレイなどの液晶モニタを有するとともに、表示機能やオーディオ再生機能、携帯端末との通信機能といった基礎的な機能のみを実装し、通信装置２０と連携することで多機能化するＤＡ（Display  Audio）である。したがって、本実施例で用いる車載機５０は、近年、車両に搭載される高精度な車載装置などに比べて安価な装置であり、普及が期待できる装置である。
【００２５】
　なお、本願が開示する車載機５０は、必ずしもＤＡである必要はなく、ナビゲーション機能などを備えた高精度な車載装置であってもよい。この場合、地図を除くデータ（投稿内容、位置情報）が車載機５０に送信され、車載機５０が、ローカルに記憶する地図データに投稿内容を表示させる。
【００２６】
　この車載機５０は、通信装置２０から受信した投稿情報や地図データを液晶モニタに表示し、通信装置２０から受信した音声データをスピーカーから音声出力する。また、車載機５０は、表示パネル上でユーザが操作した情報として、操作位置を示す座標などの位置情報を通信装置２０に送信する。」（段落【００２２】ないし【００２６】）
ｄ　「【００２７】
［車載用表示装置の構成］
　次に、図２を用いて、図１に示した車載用表示装置の構成を説明する。図２は、車載用表示装置の構成を示すブロック図である。図２に示すように、車載用表示装置１１は、通信装置２０と車載機５０とを有するので、ここでは、通信装置２０と車載機５０とのそれぞれについて説明する。
【００２８】
（通信装置の構成）
　通信装置２０は、入出力インタフェース２１と、ＧＰＳ（Global  Positioning  System）２２と、カメラ２３と、マイク２４と、カテゴリＤＢ（DataBase）２５と、投稿情報ＤＢ２６と、定型文ＤＢ２７とを有する。また、通信装置２０は、投稿連携起動部２８と、投稿情報取得部２９と、情報分類部３０と、情報表示部３１と、操作特定部３２と、情報編集部３３と、情報入力部３４とを有する。」（段落【００２７】及び【００２８】）
ｅ　「【００３７】
　投稿情報ＤＢ２６は、ツイッターサーバ１から取得された投稿情報と当該投稿情報の分類先を記憶する。図４は、投稿情報ＤＢに記憶される情報の例を示す図である。図４に示すように、投稿情報ＤＢ２６は、「投稿日時、タグ、内容、位置情報、動画像、音声、分類結果」として「2010/4/26  10:00:00、＃Tra、渋滞中、兵庫県神戸市○○交差点、111.jpeg、−、交通」などを記憶する。また、投稿情報ＤＢ２６は、「2010/4/26  10:00:02、＃Wet、濃霧で視界不良です、兵庫県神戸市○○１丁目、−、−、−」、「2010/4/26  10:00:05、＃Sce、いい景色、六甲山××、夜景.mpeg、あり、シーン」、「2010/4/26  10:00:15、＃III、今なら１００円／Ｌです！、兵庫県神戸市○○３丁目、−、−、−」などを記憶する。
【００３８】
　ここで記憶される「投稿日時」は、投稿情報が投稿された日時を示し、「タグ」は、ツイートなどの投稿情報に含まれるハッシュタグを示す。「内容」は、投稿された内容、言い換えると、つぶやかれた内容を示し、「位置情報」は、投稿情報の表示位置を示す。また、「動画像」は、投稿情報に付加されている動画像データがあるか否かを示し、ある場合にはファイル名が格納され、ない場合には「−」が格納される。「音声」は、投稿情報に付加されている音声データがあるか否かを示し、ある場合にはファイル名が格納され、ない場合には「−」が格納される。「分類結果」は、後述する情報分類部３０によって分離された結果が格納され、分類できなかった場合には「−」が格納されて表示対象から除外される。
【００３９】
　例えば、「2010/4/26  10:00:00、＃Tra、渋滞中、兵庫県神戸市○○交差点、111.jpeg、−、交通」の場合、タグが「＃Tra」であり、投稿位置を「兵庫県神戸市○○交差点」とする、「111.jpeg」が付加された投稿情報「渋滞中」が「2010/4/26  10:00:00」に投稿され、カテゴリ「交通」に分類されたことを示す。また、「2010/4/26  10:00:02、＃Wet、濃霧で視界不良です、兵庫県神戸市○○１丁目、−、−、−」の場合、タグが「＃Wet」であり、投稿位置を「兵庫県神戸市○○１丁目」とする、投稿情報「濃霧で視界不良です」が「2010/4/26  10:00:02」に投稿され、いずれのカテゴリにも分類されなかったことを示す。
【００４０】
　また、「2010/4/26  10:00:05、＃Sce、いい景色、六甲山××、夜景.mpeg、あり、シーン」の場合、タグが「＃Sce」であり、投稿位置を「六甲山××」とする、「夜景.mpeg」と音声データとが付加された投稿情報「いい景色」が「2010/4/26  10:00:05」に投稿され、カテゴリ「シーン」に分類されたことを示す。また、「2010/4/26  10:00:15、＃III、今なら１００円／Ｌです！、兵庫県神戸市○○３丁目、−、−、−」の場合、タグが「＃III」であり、投稿位置を「兵庫県神戸市○○３丁目」とする投稿情報「今なら１００円／Ｌです！」が「2010/4/26  10:00:15」に投稿されたが、いずれのカテゴリにも分類されなかったことを示す。」（段落【００３７】ないし【００４０】）
ｆ　「【００４７】
　投稿情報取得部２９は、ユーザが投稿した投稿情報と当該投稿情報の投稿先を示す位置情報とを取得する。具体的には、投稿情報取得部２９は、車載機５０で投稿情報の取得要求操作がされたことを操作特定部３２から受信した場合、ツイッターサーバ１に接続して投稿情報を取得する。そして、投稿情報取得部２９は、取得した投稿情報をメモリ等に格納するとともに、情報分類部３０に出力する。また、投稿情報の取得契機としては、例えば所定時間ごとに取得するようにしてもよく、ツイッターサーバ１からＰＵＳＨ式で送信されるようにしてもよい。
【００４８】
　一例としては、投稿情報取得部２９は、投稿情報として「投稿日時、タグ、内容、位置情報、動画像、音声」として「2010/05/11  12:00:15、＃Tra、渋滞中、東京都○○、渋滞.mpeg、音声あり」から構成される投稿情報を取得する。なお、ここで取得される「投稿日時、タグ、内容、位置情報、動画像、音声」は、図４と同様なので、詳細な説明は省略する。
【００４９】
  ・・・（中略）・・・
【００５０】
　例えば、投稿情報「2010/4/26  10:00:05、＃Sce、いい景色、六甲山××、夜景.mpeg、あり」が投稿情報取得部２９によって取得された場合の例を用いて説明する。・・・（中略）・・・
【００５１】
　また、投稿情報「2010/4/26  10:00:02、＃Wet、濃霧で視界不良です、兵庫県神戸市○○１丁目、−、−」が投稿情報取得部２９によって取得された場合の例を用いて説明する。・・・（中略）・・・
【００５２】
　・・・（中略）・・・
【００５３】
　情報表示部３１は、投稿情報取得部２９によって投稿情報とともに取得された位置情報によって特定される位置に、情報分類部３０によって分類されたカテゴリに応じた表示形式で投稿情報を表示させた地図データを生成する。具体的に例を挙げると、情報表示部３１は、（１）車両の現在位置の地図データ取得、（２）現在位置付近の投稿情報特定、（３）表示形式の特定、（４）表示する地図データ生成、（５）車載機へ送信を実行する。
【００５４】
　例えば、（１）として、情報表示部３１は、当該車載用表示装置１１の現在位置をＧＰＳ２２によって取得し、取得した現在位置に対応する地図データを地図サーバ３から取得する。続いて、（２）として、情報表示部３１は、ＧＰＳ２２で取得した位置情報付近の位置情報を有する投稿情報を投稿情報ＤＢ２６から特定する。そして、（３）として、情報表示部３１は、特定した投稿情報を投稿情報ＤＢ２６から読み出し、読み出した投稿情報の「タグ」に対応する表示形式をカテゴリＤＢ２５から特定し、特定した「表示形式」の投稿情報を生成する。このとき、情報表示部３１は、投稿情報に付加される動画像データの表示や音声データの再生を実施するための「詳細ボタン」等をアイコン等に付加してもよい。続いて、（４）として、情報表示部３１は、投稿情報に付加される位置情報に基づいて投稿情報の投稿位置を特定し、現在位置に対応する地図データ上に、生成した投稿情報を付加する。そして、情報表示部３１は、投稿情報ＤＢ２６に格納される投稿情報各々に対してこの処理を繰り返すことで、１つの地図データに投稿情報各々が表示されている新たな地図データをＪＰＥＧ形式で生成する。その後、（５）として、情報表示部３１は、生成した新たなＪＰＥＧ形式の地図データを車載機５０に出力する。」（段落【００４７】ないし【００５４】）
ｇ　「【００６８】
　表示パネル５２は、後述する表示制御部５３から入力された画像データを表示するディスプレイやタッチパネルである。表示制御部５３は、入出力インタフェース５１を介して、通信装置２０から受信した画像データを表示パネル５２に表示出力し、通信装置２０から受信した音声データを音声制御部５４に出力する。
【００６９】
　音声制御部５４は、表示制御部５３から音声データを受信して保持し、表示パネル５２によって音声出力指示を受け付けた場合には、当該指示された音声を再生してスピーカー５５から出力する。コマンド制御部５６は、表示パネル上でユーザがタッチ（操作）した位置を特定し、入出力インタフェース５１を介して、特定した位置を示す座標を通信装置２０に送信する。」（段落【００６８】及び【００６９】）
ｈ　「【００８０】
　また、情報編集部３３は、車載機５０上で、図７の（Ｄ）に示される投稿情報が選択されると、図８に示すような投稿情報の詳細情報を車載機５０に送信し、車載機５０の表示制御部５３は、受信した投稿情報の詳細情報を表示パネル５２に表示する。図８は、投稿情報の詳細情報を表示した例を示す図である。
【００８１】
　具体的には、図８に示すように、情報編集部３３は、図７上で選択された投稿情報が有する動画像データや音声データ等を投稿情報ＤＢ２６から取得して車載機５０に送信し、車載機５０の表示制御部５３は、受信した直前の画像データを表示パネル５２に表示する。図８に示す画面では、選択された投稿情報のカテゴリ、当該投稿情報に付加される画像データ、当該投稿情報を投稿したユーザに関する情報、現在地からの距離などが詳細情報として表示される。
【００８２】
　そして、情報編集部３３は、車載機５０上で、図８に示す「×」が選択されると、表示している詳細画面を閉じて図７の画面に戻る。また、情報編集部３３は、車載機５０上で、図８に示す「Ｇ」が選択されると、表示されている投稿情報付近の他の投稿情報の詳細情報を順に生成して車載機５０に送信する。また、通信装置２０や車載機５０がナビゲーション機能を有している場合、情報編集部３３は、図８に示す画面上で「ＧＯ」が選択されると、表示している投稿情報までの道案内を開始する。」（段落【００８０】ないし【００８２】）
ｉ　「【００９７】
（投稿情報表示処理の流れ）
　図１６に示すように、投稿情報取得部２９は、投稿情報取得契機に到達すると（ステップＳ２０１肯定）、ユーザや他のユーザが投稿した投稿情報と当該投稿情報の投稿先を示す位置情報とをツイッターサーバ１から取得する（ステップＳ２０２）。
【００９８】
　・・・（中略）・・・
【００９９】
　・・・（中略）・・・そして、情報表示部３１は、フィルタリングされた投稿情報に対して、上述した（１）〜（５）の処理を実行し、地図データに投稿情報が表示されている新たな地図データを生成して車載機５０に送信し、車載機５０の表示パネル５２に地図データが表示される（ステップＳ２０７）。」（段落【００９７】ないし【００９９】）
ｊ　「【０１０１】
（投稿情報選択時の処理の流れ）
　図１７に示すように、情報編集部３３は、車載機５０で受け付けられたユーザ操作が操作特定部３２によって特定されると（ステップＳ３０１肯定）、特定された操作が投稿情報の選択であるか否かを判定する（ステップＳ３０２）。
【０１０２】
　続いて、情報編集部３３は、特定された操作が投稿情報の選択である場合（ステップＳ３０２肯定）、選択された位置に複数の投稿情報が存在するか否かを判定する（ステップＳ３０３）。
【０１０３】
　そして、情報編集部３３は、選択された位置に複数の投稿情報が存在する場合（ステップＳ３０３肯定）、当該複数の投稿情報を並び替えた画像データを生成して車載機５０に表示する（ステップＳ３０４）。例えば、情報編集部３３は、図８に示したように、１つの投稿情報の詳細情報を表示した上でスクロールできるように表示する。また、情報編集部３３は、図９に示すように、現在の地図データ上に表示される投稿情報それぞれを図３に示したカテゴリ「交通、天気、シーン、カスタム、お知らせ」ごとに並び替え、カテゴリが選択可能なタグを設けて表示する。
【０１０４】
　一方、情報編集部３３は、選択された位置に複数の投稿情報が存在しない場合（ステップＳ３０３否定）、選択された投稿情報のみ詳細情報を表示する画像データを生成して車載機５０に表示する（ステップＳ３０５）。」（段落【０１０１】ないし【０１０４】）
ｋ　「【０１２１】
　実施例１では、車載用表示装置が地図データを有していない例について説明したが、これに限定されるものではなく、車載用表示装置が地図データを有していてもよい。そこで、実施例３では、車載用表示装置が地図データを有している場合の例について説明する。
【０１２２】
　・・・（中略）・・・
【０１２３】
　車載用表示装置１１０は、車内１００に設置される装置であり、通信装置２００と車載機５００とを有する。なお、車載用表示装置１１０は、通信装置２００と車載機５００とが別々の筐体で実現されている例を図示しているが、これに限定されるものではなく、例えば通信装置２００と車載機５００とが１つの筐体で実現されていてもよい。
【０１２４】
　・・・（中略）・・・
【０１２５】
　この通信装置２００が有する投稿情報取得、情報分類、投稿連携、情報編集、操作特定、情報入力などの各機能は、図２で説明した通信装置２０と同様なので、詳細な説明は省略する。特に、通信装置２００が実施例１の通信装置２０と異なる点は、投稿情報を付加する地図データを地図サーバ３からではなく、車載機５００から取得する点である。また、通信装置２００は、ユーザが操作した操作位置を示す座標を車載機５００から取得し、取得した座標によって操作内容を特定することもでき、通信装置２００は、ユーザが操作した操作位置を示す緯度と経度とを車載機５００から取得し、取得した緯度と経度によって操作内容を特定することもできる。
【０１２６】
　・・・（中略）・・・
【０１２７】
　車載機５００は、タッチパネルやディスプレイなどの液晶モニタを有するとともに、表示機能やオーディオ再生機能、携帯端末との通信機能といった基礎的な機能を有する。実施例１と異なる点は、車載機５００がナビゲーション部６００を有する点である。すなわち、実施例２にかかる車載機５００は、地図データおよび経路案内機能を有する。
【０１２８】
　この車載機５００が有する表示制御、コマンド制御、音声制御などの各機能は、図２で説明した車載機５０と同様なので、詳細な説明は省略する。特に、車載機５００が実施例１の車載機５０と異なるナビゲーション部６００は、ＤＶＤ（Digital  Versatile  Disc）やＨＤＤ（Hard  Disk  Drive）など記憶媒体に地図データを有する。そして、ナビゲーション部６００は、目的地の入力を受け付けると、現在位置から目的地までの走行ルートを表示パネルに表示できる。
【０１２９】
　また、ナビゲーション部６００は、表示パネル上でユーザの操作を受け付けた場合に、当該操作位置を示す座標または緯度と経度とを通信装置２００に送信する。さらに、ナビゲーション部６００は、通信装置２００からの要求に応じて、所望の位置が表示される地図データを通信装置２００に送信し、通信装置２００から受け付けた画像データを表示パネルに表示できる。また、ナビゲーション部６００は、通信装置２００から投稿情報と投稿位置とを受信した場合には、投稿位置に投稿情報を付加した地図データを生成することもできる。
【０１３０】
　さらに、ナビゲーション部６００は、表示パネルに表示される地図データ上の投稿情報が選択された場合には、当該選択された投稿情報を目的地とした走行ルートを案内することもできる。」（段落【０１２１】ないし【０１３０】）
（イ）　引用文献１記載の事項
　以下、図２に主要部の構成が示された実施例１の車載用表示装置を基本構成として参照しつつ、実施例３の車載用表示装置に着目して記載する。
　
ｍ　上記（ア）ｋの段落【０１２３】、【０１２７】及び【０１２８】の記載によれば、引用文献１には、ナビゲーション部６００を有する車載機５００及び通信装置２００を１つの筐体に備えた車両用表示装置１１０が記載されていることが分かる。
ｎ　上記（ア）ｋの段落【０１２７】及び【０１２８】並びに上記（ア）ｇの段落【００６８】の記載から、ナビゲーション部６００は、ＤＶＤやＨＤＤなどの記憶媒体に地図データを有すること、車載機５００はタッチパネルからなる表示パネル５２を備えること、及び目的地の入力を受け付けると現在位置から目的地までの走行ルートを表示パネル５２に表示する機能を有することが分かる。
ｐ　上記（ア）ｋの段落【０１２５】並びに上記（ア）ｆの段落【００５３】及び【００５４】の記載から、ナビゲーション部６００の有する地図データは、位置を示す１以上の情報を有することが分かる。
ｑ　上記（ア）ｋの段落【０１２５】及び上記（ア）ｄの段落【００２８】の記載から、通信装置２００は、投稿情報取得部２９、情報表示部３１、操作特定部３２及び情報編集部３３とを有することが分かる。
ｒ　上記（ア）ｋの段落【０１２５】、上記（ア）ｅの段落【００３７】ないし【００４０】、上記（ア）ｆの段落【００４８】、【００５０】及び【００５１】並びに図４の記載から、ツイッターサーバ１から取得する投稿情報は、内容及び投稿位置を示す位置情報を有して構成されることが分かる。
ｓ　上記（ア）ｋの段落【０１２５】及び上記（ア）ｂの段落【００１７】記載から、ツイッターサーバ１から取得する投稿情報は、現在のユーザ位置から所定範囲内の位置までの間で投稿された投稿情報で良いことが分かる。
ｔ　上記（ア）ｋの段落【０１２５】、上記（ア）ａの段落【０００３】、上記（ア）ｆの段落【００５４】及び上記（ア）ｈの段落【００９９】の記載から、通信装置２００の備える情報表示部３１は、現在位置をＧＰＳ２２によって取得し、取得した現在位置に対応する地図データを、位置を示す情報とともに取得し、投稿情報に付加される位置情報に基づいて投稿情報の投稿位置を特定し、現在位置に対応する地図データ上の、位置情報によって特定される地図上の位置に投稿情報を付加し、地図データに投稿情報各々が表示されている新たな地図データを生成して車載機５００に出力することが分かる。
ｕ　上記（ア）ｋの段落【０１２５】、上記（ア）ｆの段落【００４７】及び上記（ア）ｉの段落【００９７】の記載から、通信装置２００の備える投稿情報取得部２９は、車載機５００で投稿情報の取得要求操作がされたことを操作特定部３２から受信した場合、ツイッターサーバ１に接続して投稿情報を取得し、取得した投稿情報をメモリ等に格納することが分かる。
ｖ　上記（ア）ｋの段落【０１２５】及び【０１２８】、上記（ア）ｃの段落【００２４】ないし【００２６】、上記（ア）ｇの段落【００６８】及び【００６９】並びに上記（ア）ｊの段落【０１０１】ないし【０１０４】の記載から、ユーザは車載機５００のタッチパネルからなる表示パネル５２をタッチ操作して投稿情報を選択できることが分かる。
ｗ　上記（ア）ｋの段落【０１２５】、【０１２９】及び【０１３０】上記（ア）ｈの段落【００８０】ないし【００８２】並びに図７及び図８の記載から、ナビゲーション部６００は、表示パネル５２に表示された地図データ上の投稿情報が選択された場合には、当該選択された投稿情報を目的地とした走行ルートで道案内することが分かる。
　
（ウ）　引用発明
　上記上記（ア）ａないしｋ、（イ）ｍ、ｎ及びｐないしｗ並びに図面の記載から、引用文献１には、次の発明（以下、「引用発明」という。）が記載されていると認める。
「地図を示す情報であり、位置を示す情報を有する地図データが格納された記憶媒体と、
記憶媒体に格納されている地図データが有する、ＧＰＳ２２が取得した現在位置に対応する地図データを、位置を示す情報とともに取得する情報表示部３１と、
ツイッターサーバ１から、現在のユーザ位置から所定範囲内位置までの間で投稿された１以上の内容と各内容に対応付いている投稿位置の位置情報とを取得する投稿情報取得部２９と、
前記投稿情報取得部２９が取得した１以上の投稿情報を目的地とした走行ルートを案内する情報編集部３３及びナビゲーション部６００と、タッチパネルからなり、投稿情報、地図データ及び現在位置から目的地までの走行ルートを表示する表示パネル５２とを具備し、
表示パネル５２は、さらに投稿情報取得部２９が取得した内容及び位置情報を有する投稿情報への、ユーザ選択操作であるタッチ操作を受けるものであり、
ナビゲーション部６００は、
表示パネル５２が受け付けたユーザのタッチ操作で選択された投稿情報を目的地とした走行ルートで道案内する車両用表示装置１１０。」（以下、「引用発明」という。）。
イ　引用文献２
（ア）　引用文献２記載技術
　本件出願前に頒布された特開２００７−２７８８０７号公報（以下、「引用文献２」という。）には、段落【０００４】及び【００３２】の記載からみて、次の技術が記載されている。
　「カーナビゲーション装置において、位置情報として緯度及び経度を用いるとともに、投稿情報に緯度及び経度を付加して投稿する技術。」（以下、「引用文献２記載技術」という。）。
（３）対比
　本件補正発明における、地点情報取得部が地図情報格納部から取得する「地図情報が有する１以上の地点情報」とは、本件明細書の段落【００５５】によれば「現在位置を示す地点情報」であってよく、また「地点情報」とは、本件明細書の段落【００３１】によれば「地図上の地点の位置を示す位置情報」であってよいものである。
　そうすると、本件補正発明と引用発明とを対比すると、引用発明における「位置を示す情報」は、その構成、機能又は技術的意義からみて、本件補正発明における「地図上の地点を示す１以上の地点情報」に相当し、以下同様に、「地図データ」は「地図情報」に、「記憶媒体」は「地図情報格納部」に、「記憶媒体に格納されている地図データが有する、ＧＰＳ２２が取得した現在位置に対応する地図データを、位置を示す情報とともに取得する情報表示部３１」は「前記地図情報格納部に格納されている地図情報が有する１以上の地点情報を取得する地点情報取得部」に、「ツイッターサーバ１」は「サーバ装置」に、「内容」は「投稿情報」に、「情報編集部３３及びナビゲーション部６００」は「経路情報生成部」に、「車両用表示装置１１０」は「ナビゲーション装置」に、相当する。
　また、引用発明における「表示パネル５２」は、「投稿情報、地図データ及び現在位置から目的地までの走行ルートを表示する」ものであり、さらに「内容及び位置情報を有する投稿情報への、ユーザの選択であるタッチ操作を受ける」ものであるから、本件補正発明における「経路情報を出力する出力部」及び「１以上の地点を選択する指示である投稿地点選択指示を受け付ける受付部」に相当する。
　また、引用発明における「現在位置に対応する地図データ」に関する「現在位置」は、本件補正発明における「地図情報格納部に格納されている地図情報が有する１以上の地点情報」に相当し、同様に「情報表示部３１」は「地点情報取得部」に相当する。
　そして、
「サーバ装置から所定の位置情報に対応付いている１以上の投稿情報と各投稿情報に対応付いている投稿地点の位置情報とを受信する投稿情報受信部と、
前記投稿情報受信部が受信した１以上の各投稿情報に対応付いている位置情報に対応する地点を含む経路を示す経路情報を生成する経路情報生成部と、
前記経路情報生成部が生成した経路情報を出力する出力部とを具備し、
前記投稿情報受信部が受信した各投稿情報に対応付いている位置情報が示す地点から、１以上の地点を選択する指示である投稿地点選択指示を受け付ける受付部をさらに具備し、
前記経路情報生成部は、
前記受付部が受け付けた投稿地点選択指示に対応する１以上の各投稿情報に対応付いている位置情報に対応する地点を含む経路を示す経路情報を生成するナビゲーション装置。」という限りにおいて、
引用発明における
「ツイッターサーバ１から、現在のユーザ位置から所定範囲内位置までの間で投稿された１以上の内容と各内容に対応付いている投稿位置の
位置情報
前記投稿情報取得部２９が取得した１以上の投稿情報を目的地とした走行ルートを案内する情報編集部３３及びナビゲーション部６００と、
タッチパネルからなり、投稿情報、地図データ及び現在位置から目的地までの走行ルートを表示する表示パネル５２とを具備し、
表示パネル５２は、さらに投稿情報取得部２９が取得した内容及び位置情報を有する投稿情報への、ユーザ選択操作であるタッチ操作を受けるものであり、
ナビゲーション部６００は、
表示パネル５２が受け付けたユーザのタッチ操作で選択された投稿情報を目的地とした走行ルートで道案内する車両用表示装置装置１１０。」は、
本件補正発明における
「前記サーバ装置から、緯経度情報に対応付いている１以上の投稿情報と各投稿情報に対応付いている投稿地点の
緯経度情報
前記投稿情報受信部が受信した１以上の各投稿情報に対応付いている緯経度情報に対応する地点を含む経路を示す経路情報を生成する経路情報生成部と、
前記経路情報生成部が生成した経路情報を出力する出力部とを具備し、
前記投稿情報受信部が受信した１以上の各投稿情報に対応付いている緯経度情報が示す地点から、１以上の地点を選択する指示である投稿地点選択指示を受け付ける受付部をさらに具備し、
前記経路情報生成部は、
前記受付部が受け付けた投稿地点選択指示に対応する１以上の各投稿情報に対応付いている緯経度情報に対応する地点を含む経路を示す経路情報を生成するナビゲーション装置。」に相当する。
　よって、本件補正発明と引用発明とは、「地図を示す情報であり、地図上の地点を示す１以上の地点情報を有する地図情報が格納される地図情報格納部と、
前記地図情報格納部に格納されている地図情報が有する１以上の地点情報を取得する地点情報取得部と、
サーバ装置から所定の位置情報に対応付いている１以上の投稿情報と各投稿情報に対応付いている投稿地点の位置情報とを受信する投稿情報受信部と、
前記投稿情報受信部が受信した１以上の各投稿情報に対応付いている位置情報に対応する地点を含む経路を示す経路情報を生成する経路情報生成部と、
前記経路情報生成部が生成した経路情報を出力する出力部とを具備し、
前記投稿情報受信部が受信した各投稿情報に対応付いている位置情報が示す地点から、１以上の地点を選択する指示である投稿地点選択指示を受け付ける受付部をさらに具備し、
前記経路情報生成部は、
前記受付部が受け付けた投稿地点選択指示に対応する１以上の各投稿情報に対応付いている位置情報に対応する地点を含む経路を示す経路情報を生成するナビゲーション装置。」という点で一致し、以下の点で相違する。
（相違点１）
　本件補正発明においては、「前記地点情報取得部が取得した１以上の地点情報を、サーバ装置に送信する地点情報送信部」を具備しているのに対し、引用発明においては、地点情報送信部を備えているか否か不明である点。
（相違点２）
「サーバ装置から所定の位置情報に対応付いている１以上の投稿情報と各投稿情報に対応付いている投稿地点の位置情報とを受信する投稿情報受信部と、
前記投稿情報受信部が受信した１以上の各投稿情報に対応付いている位置情報に対応する地点を含む経路を示す経路情報を生成する経路情報生成部と、
前記経路情報生成部が生成した経路情報を出力する出力部とを具備し、
前記投稿情報受信部が受信した各投稿情報に対応付いている位置情報が示す地点から、１以上の地点を選択する指示である投稿地点選択指示を受け付ける受付部をさらに具備し、前記経路情報生成部は、前記受付部が受け付けた投稿地点選択指示に対応する１以上の各投稿情報に対応付いている位置情報に対応する地点を含む経路を示す経路情報を生成するナビゲーション装置。」の「位置情報」に関し、本件補正発明においては「緯経度情報」であるのに対し、引用発明においては「位置情報」である点。
（４）判断
　上記相違点１及び相違点２について検討する。
ア　相違点１について
　引用発明は、ツイッターサーバ１から、現在のユーザ位置から所定範囲内の間の位置の投稿情報を取得するものであるところ、現在のユーザ位置から所定範囲内の間の位置の投稿情報を取得するには、ツイッターサーバ１に現在のユーザ位置に関する位置情報を送信することが必要であることは自明であるから、引用発明に、現在のユーザ位置に関する位置情報をツイッターサーバ１に送信する送信部を設けることは当然の事項である。
　そうすると、引用発明が、ツイッターサーバ１から受信した投稿情報を、地図データに付加して表示パネル５２に表示させることものであることを考慮すれば、引用発明に、現在のユーザ位置に関する位置情報をツイッターサーバ１に送信する送信部を設けるにあたり、現在の位置情報として、記憶媒体から受信した地図データの有する位置情報を送信するように設計することは、当業者が適宜になし得た設計的事項である。
　してみると、引用発明において、相違点１に係る本件補正発明の発明特定事項とすることは当業者が容易に想到できたことである。
イ　相違点２について
　本件補正発明と引用文献２記載技術とはナビゲーション装置という共通の技術分野に属する。そこで、相違点２に係る本件補正発明の発明特定事項と引用文献２記載技術とを対応させると、引用文献２記載技術における「緯度及び経度」は、本件補正発明でいう「緯経度」に相当する。
　そして、引用発明と引用文献２記載技術は、位置情報を付加した内容を投稿するとともに、サーバ装置から位置情報を付加した投稿情報を取得するという共通の機能を有するものである。
　そうすると、引用発明に引用文献２記載技術を適用し、位置情報として緯経度を用いるようにして相違点２に係る本件補正発明の発明特定事項とすることは当業者が容易に想到できたことである。
　そして、本件補正発明は、全体としてみても、引用発明及び引用文献２記載技術から予測される以上の格別な効果を奏するものではない。
（５）まとめ
　したがって、本件補正発明は、引用発明及び引用文献２記載技術から当業者が容易に想到できたものであるから、特許法第２９条第２項の規定により特許出願の際独立して特許を受けることができないものである。
４　むすび
　以上のとおり、本件補正は特許法第１７条の２第６項において準用する同法第１２６条第７項の規定に違反するものであり、同法第１５９条第１項において読み替えて準用する同法第５３条第１項の規定により却下すべきものである。
　よって、［補正の却下の決定の結論］のとおり決定する。
　
第３　本件発明について
１　本件発明
　本件補正は上記のとおり却下されたので、本件出願の請求項８に係る発明（以下、「本件発明」という。）は、平成２７年７月６日に提出された手続補正書により補正された特許請求の範囲の請求項８に記載された事項により特定されるとおりのものと認められるところ、本件発明は、上記第２の［理由］の１（１）の【請求項８】に記載されたとおりである。
２　引用文献　
　原査定の拒絶の理由に引用された引用文献１（特開２０１１−２４７８３１号公報）に記載された発明（引用発明）及び引用文献２（特開２００７−２７８８０７号公報）に記載された技術（引用文献２記載技術）については、上記第２の［理由］の３（２）ア及びイに記載したとおりである。
３　対比・検討
　上記［理由］の２で検討したとおり、本件補正発明は本件発明の発明特定事項を限定したものである。そして、本件発明の発明特定事項を限定した本件補正発明が上記第２の［理由］の３のとおり、引用発明及び引用文献２記載技術に基づいて当業者が容易に発明をすることができたものであるから、本件発明は、実質的に同様の理由により、引用発明及び引用文献２記載技術に基づいて当業者が発明をすることができたものである。
４　まとめ
　以上のとおり、本件発明は、引用発明及び引用文献２記載技術に基づいて当業者が容易に発明をすることができたものであるから、特許法第２９条第２項の規定により特許を受けることができない。
第４　むすび
　上記第３のとおり、本件発明は特許法第２９条第２項の規定により特許を受けることができないので、本件出願は拒絶すべきものである。
　よって、結論のとおり審決する。